(57)【要約】【課題】無線通信システムにおけるページングメッセージデコーディング方法とデコーディング装置を提供する。【解決手段】伝送されたページングメッセージの4個のバーストのうちから最初のバーストのみを受信して等化する段階、等化された最初のバーストと参照ページングメッセージとを比較する段階、比較結果による比較値とスレショルド値とを比較する段階、及び比較値がスレショルド値より大きい場合、ページングメッセージの二番目ないし四番目のバーストを受信せずに以前にデコーディングされたページングメッセージをページングメッセージと看做してスリープ状態に進入し、それ以外の場合には、二番目ないし四番目のバーストを受信してデコーディングし、デコードされたページングメッセージをまた符号化した後、符号化されたページングメッセージのうちから最初のバーストを参照ページングメッセージに提供する段階とを備える。【選択図】図１
2007215176.tif 000002
【特許請求の範囲】
【請求項１】
伝送されたページングメッセージの4個のバーストのうちから最初のバーストのみを受信して等化する段階と、
等化された最初のバーストと参照ページングメッセージとを比較する段階と、
前記比較結果による比較値とスレショルド値とを比較する段階と、
前記比較値と前記スレショルド値との比較結果に基づいて前記ページングメッセージの二番目ないし四番目のバーストの受信如何を決定する段階と、を備えることを特徴とする無線通信システムにおけるページングメッセージデコーディング方法。
【請求項２】
前記ページングメッセージの二番目ないし四番目のバーストの受信如何を決定する段階は、前記比較値が前記スレショルド値より大きい場合、前記ページングメッセージの二番目ないし四番目のバーストを受信せずにスリープ状態に進入する段階であることを特徴とする請求項１に記載の無線通信システムにおけるページングメッセージデコーディング方法。
【請求項３】
前記ページングメッセージの二番目ないし四番目のバーストの受信如何を決定する段階は、前記比較値が前記スレショルド値と同じかそれより小さな場合、前記ページングメッセージの二番目ないし四番目のバーストを受信する段階であることを特徴とする請求項１に記載の無線通信システムにおけるページングメッセージデコーディング方法。
【請求項４】
前記無線通信システムにおけるページングメッセージデコーディング方法は、
受信された二番目ないし四番目のバーストを等化する段階と、
等化された最初のバーストないし四番目のバーストをデコードする段階と、
デコードされた最初のバーストないし四番目のバーストを符号化する段階と、
符号化された最初のバーストを前記参照ページングメッセージとして保存する段階と、をさらに備えることを特徴とする請求項３に記載の無線通信システムにおけるページングメッセージデコーディング方法。
【請求項５】
前記参照ページングメッセージは、モバイルIDが含まれていないページングメッセージであることを特徴とする請求項１に記載の無線通信システムにおけるページングメッセージデコーディング方法。
【請求項６】
前記等化された最初のバーストと前記参照ページングメッセージとを比較する段階は、前記等化された最初のバーストと前記参照ページングメッセージとをコリレーションする段階を備えることを特徴とする請求項１に記載の無線通信システムにおけるページングメッセージデコーディング方法。
【請求項７】
前記等化された最初のバーストと前記参照ページングメッセージとを比較する段階は、前記等化された最初のバーストと前記参照ページングメッセージのビットとの差を計算する段階を備えることを特徴とする請求項１に記載の無線通信システムにおけるページングメッセージデコーディング方法。
【請求項８】
伝送されたページングメッセージの4個のバーストのうちから最初のバーストのみを受信して等化する段階と、
等化された最初のバーストと多数の参照ページングメッセージとをそれぞれ比較する段階と、
前記比較結果のうちから最大値を選択する段階と、
前記最大値がモバイルIDが含まれていないページングメッセージと同一であるか否かを判断する段階と、
前記判断結果に基づいて前記ページングメッセージの二番目のバーストないし四番目のバーストの受信如何を決定する段階と、を備えることを特徴とする無線通信システムにおけるページングメッセージデコーディング方法。
【請求項９】
前記無線通信システムにおけるページングメッセージデコーディング方法は、
前記判断結果、前記最大値が前記モバイルIDが含まれていないページングメッセージと同一である場合、
前記最大値とスレショルド値とを比較する段階と、
前記最大値と前記スレショルド値との比較結果に基づいて前記ページングメッセージの二番目のバーストないし四番目のバーストの受信如何を決定する段階と、をさらに備えることを特徴とする請求項８に記載の無線通信システムにおけるページングメッセージデコーディング方法。
【請求項１０】
前記無線通信システムにおけるページングメッセージデコーディング方法は、
前記比較結果、前記最大値が前記スレショルド値より大きい場合、前記ページングメッセージの二番目のバーストないし四番目のバーストを受信せずに前記モバイルIDが含まれていないページングメッセージをページングメッセージとして出力してスリープ状態に進入する段階をさらに備えることを特徴とする請求項９に記載の無線通信システムにおけるページングメッセージデコーディング方法。
【請求項１１】
前記無線通信システムにおけるページングメッセージデコーディング方法は、
前記比較結果、前記最大値が前記スレショルド値と同じかそれより小さな場合、前記ページングメッセージの二番目のバーストないし四番目のバーストを受信する段階をさらに備えることを特徴とする請求項９に記載の無線通信システムにおけるページングメッセージデコーディング方法。
【請求項１２】
前記無線通信システムにおけるページングメッセージデコーディング方法は、
前記最大値が前記モバイルIDが含まれていないページングメッセージと同一ではない場合、前記ページングメッセージの二番目のバーストないし四番目のバーストを受信する段階をさらに備えることを特徴とする請求項８に記載の無線通信システムにおけるページングメッセージデコーディング方法。
【請求項１３】
前記等化された最初のバーストと前記多数の参照ページングメッセージとをそれぞれ比較する段階は、前記等化された最初のバーストと前記多数の参照ページングメッセージとをそれぞれコリレーションする段階を備えることを特徴とする請求項８に記載の無線通信システムにおけるページングメッセージデコーディング方法。
【請求項１４】
前記等化された最初のバーストと前記多数の参照ページングメッセージとをそれぞれ比較する段階は、前記等化された最初のバーストと前記多数の参照ページングメッセージのそれぞれのビット差を比較する段階を備えることを特徴とする請求項８に記載の無線通信システムにおけるページングメッセージデコーディング方法。
【請求項１５】
4個のバーストを備えるページングメッセージの最初のバーストを受信して等化する段階と、
等化された最初のバーストとモバイルIDとが含まれていないページングメッセージが同一であるか否かを判断する段階と、
前記判断結果に基づいて前記ページングメッセージの二番目のバーストないし四番目のバーストの受信如何を決定する段階と、を備えることを特徴とする無線通信システムにおけるページングメッセージデコーディング方法。
【請求項１６】
請求項１５に記載のページングメッセージデコーディング方法を実行するためのプログラムを記録した記録媒体。
【請求項１７】
制御信号に応答してページングメッセージの4個のバーストのうちから少なくとも一つのバーストを受信するための受信器と、
前記受信器から出力されたバーストを等化するための等化器と、
前記等化器によって等化された最初のバーストと参照ページングメッセージとを比較し、比較結果による比較値とスレショルド値とを比較し、前記比較値と前記スレショルド値との比較結果に基づいて前記ページングメッセージの二番目のバーストないし四番目のバーストの受信如何を制御するための前記制御信号を発生させるコントローラと、を備えることを特徴とする端末機。
【請求項１８】
前記コントローラは、前記比較値が前記スレショルド値より大きい場合、前記受信器が前記ページングメッセージの二番目のバーストないし四番目のバーストを受信しないように非活性化された前記制御信号を前記受信器に出力することを特徴とする請求項１７に記載の端末機。
【請求項１９】
前記コントローラは、前記比較値が前記スレショルド値と同じかそれより小さな場合、前記受信器が前記ページングメッセージの二番目のバーストないし四番目のバーストを受信できるように活性化された前記制御信号を前記受信器に出力することを特徴とする請求項１７に記載の端末機。
【請求項２０】
前記端末機は、
前記等化器によって等化された最初のバーストないし四番目のバーストをデコーディングするデコーダと、
前記デコーダによってデコードされたページングメッセージを保存するための保存装置と、
前記保存装置に保存されたデコードされたページングメッセージの最初のバーストないし四番目のバーストを符号化し、該符号化された最初のバーストを前記参照ページングメッセージとして提供するための参照ページングメッセージ生成器と、
前記コントローラから出力された選択信号に応答して前記保存装置に保存されたデコードされたページングメッセージまたは前記デコーダによってデコードされたページングメッセージを出力するための選択回路と、をさらに備えることを特徴とする請求項１７に記載の端末機。
【請求項２１】
前記コントローラは、前記等化器によって等化された最初のバーストと前記参照ページングメッセージとをコリレーションし、該コリレーション結果値と前記スレショルド値とを比較し、前記コリレーション結果値と前記スレショルド値との比較結果に基づいて前記ページングメッセージの二番目のバーストないし四番目のバーストの受信如何を制御するための前記制御信号を発生させることを特徴とする請求項１７に記載の端末機。
【請求項２２】
前記コントローラは、前記等化器によって等化された最初のバーストと前記参照ページングメッセージとのビット差を比較し、前記ビット差を比較した結果値と前記スレショルド値とを比較し、前記ビット差を比較した結果値と前記スレショルド値との比較結果に基づいて前記ページングメッセージの二番目のバーストないし四番目のバーストの受信如何を制御するための前記制御信号を発生させることを特徴とする請求項１７に記載の端末機。
【請求項２３】
制御信号に応答してページングメッセージの4個のバーストのうちから少なくとも一つを受信するための受信器と、
前記受信器から出力されたバーストを等化するための等化器と、
前記等化器から等化された最初のバーストと多数の参照ページングメッセージとをそれぞれ比較し、前記比較結果のうちから最大値を選択するコントローラと、を備えることを特徴とする端末機。
【請求項２４】
前記コントローラは、
前記最大値がモバイルIDが含まれていないページングメッセージと同一であるか否かを判断し、前記判断結果に基づいて前記ページングメッセージの二番目のバーストないし四番目のバーストの受信如何を制御するための前記制御信号を発生させることを特徴とする請求項２３に記載の端末機。
【請求項２５】
前記コントローラは、前記最大値が前記モバイルIDが含まれていないページングメッセージと同一ではない場合、前記受信器が前記ページングメッセージの二番目のバーストないし四番目のバーストを受信できるように活性化された前記制御信号を前記受信器に出力することを特徴とする請求項２３に記載の端末機。
【請求項２６】
前記端末機は、前記等化器に接続され、前記等化器によって等化されたバーストをデコーディングするためのデコーダをさらに備えることを特徴とする請求項２５に記載の端末機。
【請求項２７】
前記端末機は、前記モバイルIDが含まれていないページングメッセージを保存するための保存装置と、
前記コントローラから出力された選択信号に応答して前記保存装置に保存された前記モバイルIDが含まれていないページングメッセージまたは前記デコーダによってデコードされたページングメッセージを出力するための選択回路と、をさらに備えることを特徴とする請求項２６に記載の端末機。
【請求項２８】
前記コントローラは、前記最大値が前記モバイルIDが含まれていないページングメッセージと同一であり、前記最大値が前記スレショルド値と同じかそれより小さな場合、前記受信器が前記ページングメッセージの二番目のバーストないし四番目のバーストを受信できるように活性化された前記制御信号を前記受信器に出力することを特徴とする請求項２３に記載の端末機。
【請求項２９】
前記コントローラは、前記最大値が前記モバイルIDが含まれていないページングメッセージと同一であり、前記最大値が前記スレショルド値より大きい場合、前記受信器が前記ページングメッセージの二番目のバーストないし四番目のバーストを受信しないように非活性化された前記制御信号を前記受信器に出力して前記端末機をスリープ状態に進入させることを特徴とする請求項２３に記載の端末機。
【請求項３０】
最初の伝送バーストを受信する段階と、
最初のデコードされたデータを生成させるために最初の伝送バーストのみデコーディングする段階と、
多数のあらかじめ保存された伝送バーストのそれぞれと類似した前記最初のデコーディングされたデータと類似した大きさ(または、サイズ)を決定する段階と、
前記最初のデコーディングされたデータが前記あらかじめ保存された伝送バーストのうち何れか一つと相当に類似している場合、前記メッセージの残りの伝送バーストの受信を制限し、
前記最初のデコーディングされたデータが前記あらかじめ保存された伝送バーストのうち何れか一つと類似していない場合、前記二番目の伝送バーストを受信する段階と、を備えることを特徴とするN個の伝送バーストがインターリーブされたエンコーティングされたビットを備えるメッセージを受信する方法。
【請求項３１】
前記N個の伝送バーストがインターリーブされたエンコーティングされたビットを備えるメッセージを受信する方法は、
アイドルモード間にモバイルターミナルによって実行される方法であることを特徴とする請求項３０に記載のN個の伝送バーストがインターリーブされたエンコーティングされたビットを備えるメッセージを受信する方法。
【請求項３２】
前記メッセージは、ブロードキャストコントロールチャンネルメッセージであることを特徴とする請求項３０に記載のN個の伝送バーストがインターリーブされたエンコーティングされたビットを備えるメッセージを受信する方法。
【請求項３３】
前記メッセージは、ページングチャンネルメッセージであることを特徴とする請求項３０に記載のN個の伝送バーストがインターリーブされたエンコーティングされたビットを備えるメッセージを受信する方法。
【請求項３４】
前記メッセージは、パケットページングチャンネルメッセージであることを特徴とする請求項３０に記載のN個の伝送バーストがインターリーブされたエンコーティングされたビットを備えるメッセージを受信する方法。
【請求項３５】
前記N=4であることを特徴とする請求項３０に記載のN個の伝送バーストがインターリーブされたエンコーティングされたビットを備えるメッセージを受信する方法。
【発明の詳細な説明】
【技術分野】
【０００１】
本発明は、デコーディング方法とデコーディング装置に係り、より詳細には、無線通信システムでデコーディング時間を短縮させうるページングメッセージデコーディング方法、前記方法を実行するためのプログラムを記録した記録媒体、及び端末機に関する。
【背景技術】
【０００２】
一般的に、無線通信システム(例えば、移動通信システム)の端末機(例えば、移動通信端末機)は、アクティブモード(active mode)またはアイドルモード(idle mode)などのさまざまなモードのうちから何れか一つのモードを実行できるようにデザインされる。アクティブモードで、端末機は、無線通信システム内の少なくとも一つ以上の基地局(base stations)とデータ、例えば、音声、データ、または映像を送受信する。
【０００３】
待機モード(standby mode)とも呼ばれるアイドルモードで、端末機は、メッセージを得るためにページングチャンネル(paging channel)を周期的にモニターする。
【０００４】
GSMシステム標準で、音声データはデジタル化されて圧縮(Compressed)され、圧縮されたデジタルデータは、他のユーザの音声データと共に一つのチャンネル(single channel)を介して伝送される。しかし、それぞれのユーザの音声データは、ユニーク(unique)なタイムスロット(例えば、時分割マルチプレクシング(time division multiplexing))内で伝送される。前記GSM標準は、IMT-2000(International Mobile Telecommunications-2000)に名付けられた第3世代フォン標準を発展させるための3GPP(3rd Generation Partnership Project)の核心システムになった。
【０００５】
ヨーロッパでは、GSM 標準は、モバイルコミュニケーションシステムのための標準として採択された。そして、全世界120ヶ国を通じて10億人以上の加入者(subscribers)がGSM標準を使っている。一般的に、GSM標準のようなモバイルコミュニケーションシステムネットワークでは、モバイル装置(例えば、携帯電話)は、周期的にページングメッセージをモニタして処理する。また、端末機は、ページングメッセージを得るためにブロードキャストコントロールチャンネル(broadcast control channel)を周期的にモニタして自身のシステムパラメータをアップデートする。
【０００６】
アイドルモードで、省エネのための一つの方法として基地局から出力されたメッセージは、ページングチャンネルを介して端末機に伝送される。例えば、GSMシステムで、各端末機は、自身のページングチャンネルのために特別なTDMAフレームに割り当てられる。そして、メッセージは、このようなTDMA(time division multiple access)フレームを用いて端末機に伝送される。GSMコミュニケーションネットワークで、端末機は、連続するTDMAフレームのタイムスロット(slot)に相当する一連の4個のバーストに出力されるページングチャンネル情報を受信する。GSMでページングメッセージ(paging message)は、ペーイジングチャンネル(PCH)を介して伝送されるメッセージを言う。ページングチャンネル(PCH)は、端末機にアドレスされるインカミングコール(incomming call)がある時、端末機をページングするための制御チャンネルである。
【０００７】
すなわち、基地局は自身のセル内にある個々の端末機を呼び出す時、ページングチャンネルを使う。端末機にアドレスされたページングチャンネル(PCH)に基づいたすべてのメッセージは、IMSI(International Mobile Subscriber Identity)またはTIMSI(Temprrary  Mobile Subscriber Identity)のようなページされた端末機認識番号を含んでいる。端末機がページされていない場合、“No Mobile IDページングメッセージ”(あるいは、“No  IDページ”)がページングチャンネル(PCH)に伝送される。端末機では、デコーディングされたページングチャンネルバーストデータは、端末機がページされたか、他の端末機がページされたか、または端末機がページされなかったかを表わす。したがって、ページングメッセージは、端末機でアドレスされることができ、あるいは“No Mobile ID"ページングメッセージが如何なる端末機にもアドレスされない。
【０００８】
GSMシステムで、ページングメッセージは、制御チャンネルであるページングチャンネル(PCH)を介して伝送される。ページングメッセージは、456ビットにエンコーディングされた184情報(Information)ビットで構成される。伝送基地局でインターリーバは、下記の規則に基づいて456ビットを4個以上のバーストとしてインターリーブ(interleaves)する。
i(B,j)+c(n,k) for k=0,1,...,455 where n=0,1,...,B=B.sub.0+4n+(k mod 4) j=2((49k mod 57)+(k mod 8)div4)。
【０００９】
ページングメッセージのエンコーディングされた184ビットは、他のTDMAフレームに伝送された4個のバーストに分離される。GSMシステムで、アクチュアルブロック(actual block)の長さが約20msであれば、ページングメッセージブロックは0.5s〜2sの間隔(interval)を置いて伝送される。ブロックは、それぞれのバーストの間隔が4.615msである時、それぞれが0.577msである4個のバーストを含んでいる。
【００１０】
さらに多くの情報は、非特許文献１を参照されたい。
【００１１】
GSMシステムで、端末機は、基地局から出力されたメッセージを得るためにページングチャンネルを周期的にモニタする。端末機は、ページングチャンネルを介して伝送されたページングメッセージを受信するために、最初に指定されたTDMAフレームを受信する前に"スリープ状態"(sleep state)から"アウェイク状態"(awake state)に進入してページングメッセージとして伝送されたすべての4個のバーストを受信し、ページングメッセージを復元(recover)するために4個のバーストを処理、例えば、受信、等化、デコーディングする。そして、端末機は、他の付加的な通信が必要ではない場合、"スリープ状態"に戻る。
【００１２】
アイドルモードで、端末機は、無線通信システムで基地局から出力されるページングメッセージをモニタするために必要な回路を維持するために持続的に電力を消費する。 携帯用端末機は、制限された容量を有する内部バッテリによって電力を供給される。結局、アイドルモードでの端末機の電力消費は、内部バッテリの利用可能な電力を減少させる。
【００１３】
通信端末機の携帯性は、持続的に増加しているために、端末機の電力消費を最小化し、バッテリの寿命を増加させることは重要である。ところが、従来、端末機のバッテリ電力消費を減らしうる方法がなかった。
【００１４】
したがって、"スリープ状態"と"アウェイク状態"で端末機が消費する電力を減らすことが望ましい。特に、端末機で"アウェイク状態"を維持する時間よりスリープ状態を維持する時間がはるかに長いために、端末機の内部バッテリ寿命を延ばすためにはアイドルモード、特に、スリープ状態の間に端末機の電力消費を最小化することが望ましい。
【非特許文献１】GSM  04.08:"Digital cellular telecommunications  system(Phase 2+):Mobile radio interface layer 3 specification"、version 7.8.0、Release 1998、and GSM05.03:"Digital dellular telecommunications system(Phase 2+):Channel coding"、version 8.3.0、Release 1999。
【発明の開示】
【発明が解決しようとする課題】
【００１５】
本発明が果たそうとする技術的な課題は、無線通信システムでデコーディング時間を短縮させうるページングメッセージデコーディング方法、前記方法を実行するためのプログラムを記録した記録媒体、及び端末機を提供することである。
【課題を解決するための手段】
【００１６】
前記技術的課題を果たすための無線通信システムにおけるページングメッセージデコーディング方法は、伝送されたページングメッセージの4個のバーストのうちから最初のバーストのみを受信して等化する段階と、等化された最初のバーストと参照ページングメッセージとを比較する段階と、前記比較結果による比較値とスレショルド値とを比較する段階と、前記比較値と前記スレショルド値との比較結果に基づいて前記ページングメッセージの二番目ないし四番目のバーストの受信如何を決定する段階と、を備える。
【００１７】
前記ページングメッセージの二番目ないし四番目のバーストの受信如何を決定する段階は、前記比較値が前記スレショルド値より大きい場合、前記ページングメッセージの二番目ないし四番目のバーストを受信せずにスリープ状態に進入する段階である。前記ページングメッセージの二番目ないし四番目のバーストの受信如何を決定する段階は、前記比較値が前記スレショルド値と同じかそれより小さな場合、前記ページングメッセージの二番目ないし四番目のバーストを受信する段階である。前記無線通信システムにおけるページングメッセージデコーディング方法は、受信された二番目ないし四番目のバーストを等化する段階と、等化された最初のバーストないし四番目のバーストをデコードする段階と、デコードされた最初のバーストないし四番目のバーストを符号化する段階と、符号化された最初のバーストを前記参照ページングメッセージとして保存する段階と、を備える。前記参照ページングメッセージは、モバイルIDが含まれていないページングメッセージである。
【００１８】
前記等化された最初のバーストと前記参照ページングメッセージとを比較する段階は、前記等化された最初のバーストと前記参照ページングメッセージとをコリレーションする段階を備える。等化された最初のバーストと前記参照ページングメッセージとを比較する段階は、前記等化された最初のバーストと前記参照ページングメッセージとのビット差を計算する段階を備える。
【００１９】
前記技術的課題を果たすための無線通信システムにおけるページングメッセージデコーディング方法は、伝送されたページングメッセージの4個のバーストのうちから最初のバーストのみを受信して等化する段階と、等化された最初のバーストと多数の参照ページングメッセージとをそれぞれ比較する段階と、前記比較結課のうちから最大値を選択する段階と、前記最大値がモバイルIDが含まれていないページングメッセージと同一であるか否かを判断する段階と、前記判断結果に基づいて前記ページングメッセージの二番目のバーストないし四番目のバーストの受信如何を決定する段階と、を備える。
【００２０】
前記無線通信システムにおけるページングメッセージデコーディング方法は、前記判断結果、前記最大値が前記モバイルIDが含まれていないページングメッセージと同一である場合、前記最大値とスレショルド値とを比べる段階と、前記最大値と前記スレショルド値との比較結果に基づいて前記ページングメッセージの二番目のバーストないし四番目のバーストの受信如何を決定する段階と、をさらに備える。
【００２１】
前記無線通信システムにおけるページングメッセージデコーディング方法は、前記比較結果、前記最大値が前記スレショルド値より大きい場合、前記ページングメッセージの二番目のバーストないし四番目のバーストを受信せずに前記モバイルIDが含まれていないページングメッセージをページングメッセージとして出力してスリープ状態に進入する段階をさらに備える。
【００２２】
前記無線通信システムにおけるページングメッセージデコーディング方法は、前記比較結果、前記最大値が前記スレショルド値と同じかそれより小さな場合、前記ページングメッセージの二番目のバーストないし四番目のバーストを受信する段階をさらに備える。
【００２３】
前記無線通信システムにおけるページングメッセージデコーディング方法は、前記最大値が前記モバイルIDが含まれていないページングメッセージと同一ではない場合、前記ページングメッセージの二番目のバーストないし四番目のバーストを受信する段階をさらに備える。
【００２４】
前記等化された最初のバーストと前記多数の参照ページングメッセージとをそれぞれ比較する段階は、前記等化された最初のバーストと前記多数の参照ページングメッセージとをそれぞれコリレーションする段階を備える。前記等化された最初のバーストと前記多数の参照ページングメッセージとをそれぞれ比較する段階は、前記等化された最初のバーストと前記多数の参照ページングメッセージのそれぞれのビット差を比較する段階を備える。
【００２５】
前記技術的課題を果たすための無線通信システムにおけるページングメッセージデコーディング方法は、4個のバーストを備えるページングメッセージの最初のバーストを受信して等化する段階と、等化された最初のバーストとモバイルIDが含まれていないページングメッセージが同一であるか否かを判断する段階と、前記判断結果に基づいて前記ページングメッセージの二番目のバーストないし四番目のバーストの受信如何を決定する段階と、を備える。
【００２６】
前記技術的課題を果たすための端末機は、制御信号に応答してページングメッセージの4個のバーストのうちから少なくとも一つのバーストを受信するための受信器と、前記受信器から出力されたバーストを等化するための等化器と、前記等化器によって等化された最初のバーストと参照ページングメッセージとを比較し、比較結果による比較値とスレショルド値とを比較し、前記比較値と前記スレショルド値との比較結果に基づいて前記ページングメッセージの二番目のバーストないし四番目のバーストの受信如何を制御するための前記制御信号を発生させるコントローラと、を備える。
【００２７】
前記コントローラは、前記比較値が前記スレショルド値より大きい場合、前記受信器が前記ページングメッセージの二番目のバーストないし四番目のバーストを受信しないように非活性化された前記制御信号を前記受信器に出力する。前記コントローラは、前記比較値が前記スレショルド値と同じかそれより小さな場合、前記受信器が前記ページングメッセージの二番目のバーストないし四番目のバーストを受信できるように活性化された前記制御信号を前記受信器に出力する。
【００２８】
前記端末機は、前記等化器によって等化された最初のバーストないし四番目のバーストをデコーディングするデコーダと、前記デコーダによってデコードされたページングメッセージを保存するための保存装置と、前記保存装置に保存されたデコードされたページングメッセージの最初のバーストないし四番目のバーストを符号化し、該符号化された最初のバーストを前記参照ページングメッセージとして提供するための参照ページングメッセージ生成器と、前記コントローラから出力された選択信号に応答して前記保存装置に保存されたデコードされたページングメッセージまたは前記デコーダによってデコードされたページングメッセージを出力するための選択回路と、をさらに備える。
【００２９】
前記コントローラは、前記等化器によって等化された最初のバーストと前記参照ページングメッセージとをコリレーションし、コリレーション結果値と前記スレショルド値とを比較し、前記コリレーション結果値と前記スレショルド値との比較結果に基づいて前記ページングメッセージの二番目のバーストないし四番目のバーストの受信如何を制御するための前記制御信号を発生させる。
【００３０】
前記コントローラは、前記等化器によって等化された最初のバーストと前記参照ページングメッセージとのビット差を比較し、前記ビット差を比較した結果値と前記スレショルド値とを比較し、前記ビット差を比較した結果値と前記スレショルド値との比較結果に基づいて前記ページングメッセージの二番目のバーストないし四番目のバーストの受信如何を制御するための前記制御信号を発生させる。
【００３１】
前記技術的課題を果たすための端末機は、制御信号に応答してページングメッセージの4個のバーストのうちから少なくとも一つを受信するための受信器と、前記受信器から出力されたバーストを等化するための等化器と、前記等化器から等化された最初のバーストと多数の参照ページングメッセージとをそれぞれ比較し、前記比較結果のうちから最大値を選択するコントローラと、を備える。
【００３２】
前記コントローラは、前記最大値がモバイルIDが含まれていないページングメッセージと同一であるか否かを判断し、前記判断結果に基づいて前記ページングメッセージの二番目のバーストないし四番目のバーストの受信如何を制御するための前記制御信号を発生させる。前記コントローラは、前記最大値が前記モバイルIDが含まれていないページングメッセージと同一ではない場合、前記受信器が前記ページングメッセージの二番目のバーストないし四番目のバーストを受信できるように活性化された前記制御信号を前記受信器に出力する。前記端末機は、前記等化器に接続され、前記等化器によって等化されたバーストをデコーディングするためのデコーダをさらに備える。
【００３３】
前記端末機は、前記モバイルIDが含まれていないページングメッセージを保存するための保存装置と、前記コントローラから出力された選択信号に応答して前記保存装置に保存された前記モバイルIDが含まれていないページングメッセージまたは前記デコーダによってデコードされたページングメッセージを出力するための選択回路と、をさらに備える。
【００３４】
前記コントローラは、前記最大値が前記モバイルIDが含まれていないページングメッセージと同一であり、前記最大値が前記スレショルド値と同じかそれより小さな場合、前記受信器が前記ページングメッセージの二番目のバーストないし四番目のバーストを受信できるように活性化された前記制御信号を前記受信器に出力する。
【００３５】
前記コントローラは、前記最大値が前記モバイルIDが含まれていないページングメッセージと同一であり、前記最大値が前記スレショルド値より大きい場合、前記受信器が前記ページングメッセージの二番目のバーストないし四番目のバーストを受信しないように非活性化された前記制御信号を前記受信器に出力して前記端末機をスリープ状態に進入させる。
【００３６】
前記技術的課題を果たすためのN個の伝送バーストがインターリーブされたエンコーティングされたビットを備えるメッセージを受信する方法は、最初の伝送バーストを受信する段階と、最初にデコードされたデータを生成させるために最初の伝送バーストのみデコーディングする段階と、多数のあらかじめ保存された伝送バーストのそれぞれと類似した前記最初にデコーディングされたデータと類似した大きさ(または、サイズ)を決定する段階と、前記最初にデコーディングされたデータが前記あらかじめ保存された伝送バーストのうち何れか一つと相当に類似している場合、前記メッセージの残りの伝送バーストの受信を制限し、前記最初にデコーディングされたデータが前記あらかじめ保存された伝送バーストのうち何れか一つと類似していない場合、前記二番目の伝送バーストを受信する段階と、を備える。
【００３７】
前記N個の伝送バーストが、インターリーブされたエンコーティングされたビットを備えるメッセージを受信する方法は、アイドルモードの間にモバイルターミナルによって実行される方法であるN個の伝送バーストがインターリーブされたエンコーティングされたビットを備えるメッセージを受信する。
【００３８】
前記メッセージは、ブロードキャストコントロールチャンネルメッセージ(Broadcast Control Channel message)である。前記メッセージは、ページングチャンネルメッセージ(Paging Channel message)である。前記メッセージは、パケットページングチャンネルメッセージ(Packet Paging Channel message)である。前記Nは4である。
【発明の効果】
【００３９】
本発明による無線通信システムにおけるページングメッセージデコーディング方法と前記方法を実行できる端末機は、ページングメッセージをデコーディングするのに必要な電流とデコーディング時間とを減らすことが出来る。
【発明を実施するための最良の形態】
【００４０】
本発明と本発明の動作上の利点及び本発明の実施によって達成される目的を十分に理解するためには、本発明の望ましい実施形態を例示する添付図面及び添付図面に記載された内容を参照しなければならない。以下、添付した図面を参照して、本発明の望ましい実施形態を説明することによって、本発明を詳しく説明する。各図面に付された同一参照符号は、同一部材を表わす。
【００４１】
図１は、本発明の一実施形態による端末機のブロック図を表わす。図１を参照すれば、端末機１００は、送受信器(または、受信器)１０２、等化器(equalizer)１０３、コントローラ１０５、参照ページングメッセージ生成器(reference paging message generator)１０７、及びチャンネルデコーダ(channel decoder)１０９、保存装置１１１、及び選択回路１１３を備える。端末機は、移動通信端末機、移動通信機能を内蔵するPDAなどを含む通信端末機を言う。
【００４２】
送受信器１０２は、アンテナ１０１を介して無線で信号(例えば、バースト(burst) 単位で)を送受信する。特に、送受信器１０２は、コントロールチャンネルを介して基地局(図示せず)から連続的な時間フレーム(successive time frames)上で伝送されたページングメッセージ(すなわち、ページングチャンネルを介して伝送されたメッセージ)の4個のバーストのうち少なくとも一つのバーストをアンテナ１０１を介して受信できる。
【００４３】
コントロールチャンネルは、GSMのページングチャンネル(paging channel)、共通コントロールチャンネル(commom control channel)、ブロードキャストコントロールチャンネル(broadcast control channel)、または他の無線通信システムでコントロールチャンネルとして使われるチャンネルを含む。
【００４４】
ページングメッセージの最初のバーストを受信した送受信器１０２は、コントローラ１０５から出力された第1制御信号TCSに応答して二番目ないし四番目のバーストの受信を中止(例えば、前記送受信器１０２がディセーブルされた場合)するか、二番目ないし四番目のバーストを受信(例えば、前記送受信器１０２がイネーブルされた場合)できる。等化器１０３は、送受信器１０２から出力されたバーストを受信して等化し、該等化されたバーストEBD1またはEBD2を出力する。等化器１０３は、コントローラ１０５から出力された第2制御信号ECSに応答してイネーブルまたはディセーブルされる。例えば、ページングメッセージの最初のバーストのみを等化した等化器１０３は、活性化された第2制御信号ECSに応答してページングメッセージの二番目ないし四番目のバーストを順次に等化できる。
【００４５】
コントローラ１０５は、送受信器１０２をイネーブルまたはディセーブルさせるための第1制御信号TCS、等化器１０３をイネーブルまたはディセーブルさせるための第2制御信号ECS、またはチャンネルデコーダ１０９をイネーブルまたはディセーブルさせるための第3制御信号DCSを発生させる。また、コントローラ１０５は、選択信号SELを出力できる。コントローラ１０５は、等化器１０３によって等化された最初のバーストEBD1と参照ページングメッセージ生成器１０７から出力された参照ページングメッセージとを受信し、これらを比較し、比較結果による比較値とスレショルド値とを比較し、比較結果に基づいて第1制御信号TCSを送受信器１０２に出力する。
【００４６】
実施形態によって、コントローラ１０５は、等化された最初のバーストEBD1と参照ページングメッセージとをオートコリレーション(auto correlation)し、オートコリレーションによって生成された結果値と所定のスレショルド値とを比較し、オートコリレーションによって生成された結果値が所定のスレショルド値より大きい場合、非活性化された第1制御信号TCSを送受信器１０２に出力する。本明細書では説明の便宜上、オトコリレーションについて記述するが、本発明による装置または方法にコリレーションが適用されるということは当然である。
【００４７】
また、他の実施形態によって、コントローラ１０５は、等化された最初のバーストEBD1と参照ページングメッセージとのビット差(bit difference)を比較し、該結果値と所定のスレショルド値とを比較し、前記ビット差と比較した結果値が所定のスレショルド値より大きい場合、非活性化された第1制御信号TCSを送受信器１０２に出力する。したがって、送受信器１０２は、非活性化された第1制御信号TCSに応答してディセーブルされるので、アンテナ１０１を介して入力されたページングメッセージの二番目ないし四番目のバーストを受信できない。
【００４８】
このとき、コントローラ１０５は、保存装置１１１に保存されたデコードされたページングメッセージを出力するための選択信号SELを選択回路１１３に出力する。保存装置１１１には、以前にデコードされたページングメッセージが保存されている。保存装置１１１は、バッファ、不揮発性メモリ装置、データベースなどとして実現可能であるが、これに限定されるものではない。したがって、選択回路１１３は、以前にデコードされたページングメッセージをデコードされたページングメッセージDPMとして出力する。そして、コントローラ１０５は、通信端末機１００をスリープ状態に進入させる。したがって、通信端末機１００は、アイドル状態での消費電力を減少させることが出来る。
【００４９】
参照ページングメッセージは、モバイルIDが含まれていないページングメッセージ(以下、"No mobile IDページングメッセージ"と言う)になりうる。No mobile IDページングメッセージは、基地局が如何なる端末機をも呼び出さないページングメッセージを意味する。
【００５０】
このとき、コントローラ１０５は、等化器１０３とチャンネルデコーダ１０９とをディセーブルさせるための各制御信号ECSとDCSを等化器１０３とチャンネルデコーダ１０９に出力できる。したがって、本発明による通信端末機１００は、ページングメッセージの最初のバーストのみを受信して以前にデコードされたページングメッセージをページングメッセージとして出力してスリープ状態に進入できるので、ページングメッセージの二番目ないし四番目のバーストを処理(例えば、受信、等化、及び/またはデコーディング)するのに消費される電流を相当減少させうる効果がある。
【００５１】
もし、オートコリレーションによって生成された結果値(または、ビット差を比べた結果値)が所定のスレショルド値と同じかそれより小さな場合、コントローラ１０５は活性化された第1制御信号TCSを送受信器１０２に出力する。したがって、送受信器１０２は、活性化された第1制御信号TCSに応答してページングメッセージの二番目ないし四番目のバーストを順次に受信する。このとき、コントローラ１０５は、等化器１０３とチャンネルデコーダ１０９とをイネーブルさせるための各制御信号ECSとDCSを等化器１０３とチャンネルデコーダ１０９に出力できる。また、コントローラ１０５は、チャンネルデコーダ１０９の出力信号を出力するための選択信号SELを選択回路１１３に出力する。
【００５２】
等化器１０３は、活性化された第2制御信号ECSに応答して二番目のバーストないし四番目のバーストを順次に等化し、該等化された最初ないし四番目のバーストEBD2をチャンネルデコーダ１０９に出力できる。活性化された第3制御信号DCSに応答してイネーブルされたチャンネルデコーダ１０９は、等化器１０３から出力された最初ないし四番目のバーストEBD2を受信し、デコーディングしてデコードされたページングメッセージを保存装置１１１及び/または選択回路１１３に出力する。保存装置１１１は、チャンネルデコーダ１０９によってデコードされたページングメッセージを受信して保存する。
【００５３】
参照ページングメッセージ生成器１０７は、保存装置１１１から出力されたデコードされたページングメッセージを受信し、符号化(encode)し、該符号化されたページングメッセージの最初のバーストを参照ページングメッセージとして内部の所定のデータ保存装置(図示せず)に保存する。所定のデータ保存装置は、バッファ、データベース、またはレジスタなどとして実現可能であるが、これに限定されるものではない。
【００５４】
コントローラ１０５は、現在ページングメッセージの最初のバーストと参照ページングメッセージ(すなわち、デコードされた以前ページングメッセージを符号化して生成されたページングメッセージの最初のバースト)を受信し、これらをオートコリレーション(または、これらのビット差を比較)し、該オートコリレーションの結果値(または、ビット差を比べた結果値)とスレショルド値(threhold value)とを比較し、比較結果に基づいて送受信器１０２１０２、等化器１０３、及びチャンネルデコーダ１０９をイネーブルまたはディセーブルさせるための各制御信号TCS、ECS、DCSを発生させる。
【００５５】
本発明による通信端末機１００は、ページングメッセージを受信する時、現在ページングメッセージの最初のバーストと以前ページングメッセージ(すなわち、符号化されたページングメッセージ)の最初のバーストを受信し、これらを比較した比較値がスレショルド値より大きい場合、現在ページングメッセージの二番目ないし四番目のバーストを受信せずに保存装置１１１に保存されたページングメッセージを出力する。しかし、比較値がスレショルド値より小さいかそれと同じである場合、現在ページングメッセージの最初ないし四番目のバーストすべてをデコーディングしてデコードされたページングメッセージを保存装置１１１及び/または次のブロックに伝送する。
【００５６】
比較値は、現在ページングメッセージの最初のバーストと以前ページングメッセージの最初のバーストとをオートコリレーションした結果値または現在ページングメッセージの最初のバーストと以前ページングメッセージの最初のバーストとのビット差を比べた結果値である。
【００５７】
図２は、本発明の一実施形態によるページングメッセージデコーディング方法を表わすフローチャートである。図１と図２とを参照して、送受信器１０２、等化器１０３、チャンネルデコーダ１０９のうちから少なくとも一つで消費される電流を減少させ、ページングメッセージデコーディングに必要な処理時間を短縮させうる本発明によるページングメッセージデコーディング方法を説明すれば、次のようである。
【００５８】
本発明による通信端末機１００は、ページングチャンネルを周期的にモニタするためにスリープ状態からアウェイクする(S111)。送受信器１０２は、活性化された第1制御信号TCSに応答してイネーブルされてページングチャンネルを介して伝送されたページングメッセージの最初のバーストを受信する(S113)。
【００５９】
等化器１０３は、活性化された第2制御信号ECSに応答してイネーブルされて送受信器１０２から出力された最初のバーストを等化し、該等化された最初のバーストEBD1をコントローラ１０５に出力する。具体例では、等化器１０３は、等化された最初のバーストEBD1をコントローラ１０５とチャンネルデコーダ１０９とに出力できる。
【００６０】
コントローラ１０５は、等化された最初のバーストEBD1と参照ページングメッセージとを受信して比較する(S117)。本発明による比較方法としては、最初のバーストEBD1と参照ページングメッセージとをオートコリレーションするか、または最初のバーストEBD1と参照ページングメッセージとのビット差を利用できるが、これに限定されるものではない。コントローラ１０５は、比較値(すなわち、オートコリレーション結果値またはビット差を比べた結果値)とスレショルド値とを比較する(S119)。比較値がスレショルド値より大きい場合、コントローラ１０５は、非活性化された第1制御信号TCSを送受信器１０２に出力する。したがって、送受信器１０２は、非活性化された第1制御信号TCSに応答してページングメッセージの二番目ないし四番目のバーストを受信しない(S121)。
【００６１】
このとき、コントローラ１０５は、活性化された選択信号SELを出力する。選択回路１１３は、活性化された選択信号SELに応答して第1入力端子("1")に入力されて以前にデコードされたページングメッセージを出力する(S123)。そして、端末機１００は、スリープ状態に進入する(S125)。比較値がスレショルド値より大きい場合、コントローラ１０５は、非活性化された第2制御信号TCSを送受信器１０２に出力して非活性化された第3制御信号DCSをチャンネルデコーダ１０９に出力できる。
【００６２】
比較値がスレショルド値と同じかそれより小さな場合、コントローラ１０５は、活性化された第1制御信号TCSを送受信器１０２に出力する。したがって、送受信器１０２は、活性化された第1制御信号TCSに応答してページングメッセージの二番目のバーストないし四番目のバーストを順次に受信し、これを等化器１０３に出力する(S127)。
【００６３】
等化器１０３は、ページングメッセージの二番目のバーストないし四番目のバーストを順次に等化し、該等化された二番目のバーストないし四番目のバーストをチャンネルデコーダ１０９に出力する。具体例では、等化器１０３は、等化された最初のバーストないし四番目のバーストをチャンネルデコーダ１０９に出力できる。
【００６４】
チャンネルデコーダ１０９は、コントローラ１０５から出力された活性化された第3制御信号DCSに応答して等化器１０３によって等化された最初のバーストないし四番目のバーストを受信してデコーディングし、デコードされたページングメッセージを保存装置１１１及び/または選択回路１１３に出力する(S129)。
【００６５】
このとき、保存装置１１１に保存された以前にデコードされたページングメッセージは、現在デコードされたページングメッセージに変更される。参照ページングメッセージ生成器１０７は、保存装置１１１に保存されたデコードされたページングメッセージを受信し、これを符号化(encode)し、該符号化されたページングメッセージの最初のバーストを参照ページングメッセージとして所定のデータ保存装置に保存する(S131)。所定のデータ保存装置は、データベース、RAM、ROM、フラッシュメモリなどになることもある。
【００６６】
コントローラ１０５は、非活性化された選択信号SELを出力する。選択回路１１３は、非活性化された選択信号SELに応答してチャンネルデコーダ１０９によってデコードされたページングメッセージを出力信号DPMとして出力する。
【００６７】
すなわち、本発明による通信端末機１００は、現在ページングメッセージが以前ページングメッセージと異なる場合、現在ページングメッセージをデコーディングし、デコードされたページングメッセージを保存装置１１１に保存し、保存装置１１１に保存されたデコードされたページングメッセージを符号化し、該符号化されたページングメッセージのうちから最初のバーストを参照ページングメッセージとして所定のデータ保存装置(例えば、バッファ)に保存する。しかし、本発明による通信端末機１００は、現在ページングメッセージが以前ページングメッセージと同一である場合、以前ページングメッセージを出力する。
【００６８】
図３は、本発明の他の実施形態による端末機を表わすブロック図であり、図４は、本発明の他の実施形態によるページングメッセージデコーディング方法を表わすフローチャートである。図３と図４を参照して、本発明の他の実施形態によるページングメッセージデコーディング方法を説明すれば、次のようである。本発明による端末機２００は、ページングチャンネルを周期的にモニターするためにスリープ状態からアウェイクする(S211)。
【００６９】
送受信器１０２は、活性化された第1制御信号TCSに応答してイネーブルされてページングメッセージの最初のバーストを受信する(S213)。等化器１０３は、活性化された第2制御信号ECSに応答してイネーブルされて送受信器１０２から出力された最初のバーストを等化し、該等化された最初のバーストEBD1をコントローラ１０５に出力する。コントローラ１０５は、等化された最初のバーストEBD1と多数の参照ページングメッセージ(既に分かっている値)とをそれぞれ比較し、比較結果のうち最大値を選択する(S215)。
【００７０】
コントローラ１０５は、最大値がモバイルIDが含まれていないページングメッセージ(すなわち、"No mobile IDページングメッセージ")と同一であるか否かを判断する(S217)。"No mobile IDページングメッセージ"は、保存装置１１２に保存することが出来る。保存装置１１２は、バッファ、データベース、不揮発性メモリ装置などとして実現可能である。
【００７１】
最大値が"No mobile IDページングメッセージ"と同一である場合(S217)、コントローラ１０５は、最大値とスレショルド値とを比較する(S219)。最大値がスレショルド値より大きい場合、コントローラ１０５は、非活性化された第1制御信号TCSを送受信器１０２に出力する。したがって、送受信器１０２は、非活性化された第1制御信号TCSに応答してページングメッセージの二番目ないし四番目のバーストを受信しない(S221)。
【００７２】
このとき、コントローラ１０５は、活性化された選択信号SELを選択回路１１３に出力する。選択回路１１３は、活性化された選択信号SELに応答して第1入力端子("1")と接続された保存装置１１２に保存された"No mobile IDページングメッセージ"を出力信号DPMとして出力できる(S223)。そして、コントローラ１０５は、端末機２００をスリープ状態に進入させる(S225)。したがって、本発明によってページングメッセージの最初のバーストのみデコーディングする端末機２００での消費電流は、最初ないし四番目のバーストをすべてをデコーディングする従来の端末機での消費電流に比べて相当(例えば、1/4)減少させる。このとき、コントローラ１０５は、最大値がスレショルド値より大きい場合、非活性化された第2制御信号TCSを送受信器１０２に出力して非活性化された第3制御信号DCSをチャンネルデコーダ１０９に出力できる。
【００７３】
最大値が"No mobile IDページングメッセージ"と同一ではないかまたは最大値がスレショルド値と同じかそれより小さな場合、コントローラ１０５は、活性化された第1制御信号TCSを送受信器１０２に出力するので、送受信器１０２は、活性化された第1制御信号TCSに応答してページングメッセージの二番目のバーストないし四番目のバーストを順次に受信して等化器１０３に出力する(S227)。
【００７４】
等化器１０３は、活性化された第2制御信号ECSに応答してページングメッセージの二番目のバーストないし四番目のバーストを順次に等化し、該等化された二番目のバーストないし四番目のバーストをチャンネルデコーダ１０９に出力する(S229)。具体例では、等化器１０３は、等化された最初のバーストないし四番目のバーストをチャンネルデコーダ１０９に出力できる。チャンネルデコーダ１０９は、活性化された第3制御信号DCSに応答して等化器１０３によって等化された最初のバーストないし四番目のバーストを受信してデコーディングし、デコードされたページングメッセージを出力する(S229)。
【００７５】
選択回路１１３は、非活性化された選択信号SELに応答してチャンネルデコーダ１０９によってデコードされたページングメッセージを出力信号DPMとして出力する。選択回路１１３は、出力信号DPMを次のブロック(例えば、Layer3)に出力することもできる。
【００７６】
すなわち、端末機２００は、二番目ないし四番目のバーストを受信せずに"No mobile IDページングメッセージ"のみをページングメッセージDPMとして出力するか、または最初ないし四番目のバーストを受信してデコーディングし、デコードされたページングメッセージをページングメッセージDPMとして出力できる。本発明による端末機１００または２００は、ページングメッセージを受信する送受信器１０２での消費電流を既存の端末機に比べて1/4に減少させ、ページングメッセージをデコーディングするのにかかる処理時間を2TDMAフレームほど減少させることが出来る。その結果、2TMDAフレームのシステム電流も減少させることが出来る。
【００７７】
図５は、本発明のまた他の実施形態によるページングメッセージデコーディング方法を表わすフローチャートである。図３及び図５を参照して、本発明のまた他の実施形態によるページングメッセージデコーディング方法を説明すれば、次のようである。端末機２００は、ページングチャンネルを周期的にモニタするためにスリープ状態からアウェイクする(S311)。
【００７８】
送受信器１０２は、活性化された第1制御信号TCSに応答してイネーブルされてページングメッセージの最初のバーストを受信する(S313)。等化器１０３は、活性化された第2制御信号ECSに応答してイネーブルされて送受信器１０２から出力された最初のバーストを等化し、該等化された最初のバーストEBD1をコントローラ１０５に出力する。
【００７９】
コントローラ１０５は、等化された最初のバーストEBD1と"No mobile IDページングメッセージ"が同一であるか否かを判断する(S315)。等化された最初のバーストEBD1と"No mobile IDページングメッセージ"が同一である場合、送受信器１０２は、非活性化された第1制御信号TCSに応答してページングメッセージの二番目ないし四番目のバーストを受信しない(S317)。このとき、コントローラ１０５は、活性化された選択信号SELを選択回路１１３に出力する。選択回路１１３は、活性化された選択信号SELに応答して第1入力端子("1")と接続された保存装置１１２に保存された"No mobile IDページングメッセージ"を出力信号DPMとして出力できる(S319)。そして、コントローラ１０５は、端末機２００をスリープ状態に進入させる(S321)。
【００８０】
受信された最初のバーストが前記"No mobile IDページングメッセージ"と同一ではない場合、コントローラ１０５は活性化された第1制御信号TCSを送受信器１０２に出力するので、送受信器１０２は、活性化された第1制御信号TCSに応答してページングメッセージの二番目のバーストないし四番目のバーストを順次に受信して等化器１０３に出力する(S323)。
【００８１】
等化器１０３は、活性化された第2制御信号ECSに応答してページングメッセージの二番目のバーストないし四番目のバーストを順次に等化し、該等化された二番目のバーストないし四番目のバーストをチャンネルデコーダ１０９に出力する。具体例では、等化器１０３は、等化された最初のバーストないし四番目のバーストをチャンネルデコーダ１０９に出力できる。チャンネルデコーダ１０９は、活性化された第3制御信号DCSに応答して等化器１０３によって等化された最初のバーストないし四番目のバーストを受信してデコーディングし、デコードされたページングメッセージを出力する(S325)。
【００８２】
選択回路１１３は、非活性化された選択信号SELに応答してチャンネルデコーダ１０９によってデコードされたページングメッセージを出力信号DPMとして出力する。選択回路１１３は、出力信号DPMを次のブロックに出力することもできる。すなわち、端末機２００は、二番目ないし四番目のバーストを受信せずに"No mobile IDページングメッセージ"のみをページングメッセージDPMとして出力するか、または最初ないし四番目のバーストを受信してデコーディングし、デコードされたページングメッセージをページングメッセージDPMとして出力できる。
【００８３】
前述した本発明によるページングメッセージデコーディング方法は、コンピュータで読取り可能な記録媒体にコンピュータで読取り可能なコードとして実現することが可能である。コンピュータで読取り可能な記録媒体は、コンピュータシステムによって読取れるデータの保存されるあらゆる種類の記録装置を含む。また、コンピュータで読取り可能な記録媒体は、ネットワークで連結されたコンピュータシステムに分散されて、分散方式でコンピュータで読取り可能なコードが保存されて実行されうる。そして、本発明を実現するための機能的な(functional)プログラム、コード及びコードセグメントは、本発明が属する技術分野のプログラマーによって容易に推論されうる。
【００８４】
本発明は、図面に図示された一実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００８５】
無線通信システムでデコーディング時間を短縮させうるページングメッセージデコーディング方法、前記方法を実行するためのプログラムを記録した記録媒体、及び端末機に関連する分野に適用可能である。
【図面の簡単な説明】
【００８６】
【図１】本発明の一実施形態による端末機のブロック図である。
【図２】本発明の一実施形態によるページングメッセージデコーディング方法を表わすフローチャートである。
【図３】本発明の他の実施形態による端末機のブロック図である。
【図４】本発明の他の実施形態によるページングメッセージデコーディング方法を表わすフローチャートである。
【図５】本発明のまた他の実施形態によるページングメッセージデコーディング方法を表わすフローチャートである。
【符号の説明】
【００８７】
102：送受信器
103：等化器
105：コントローラ
107：参照ページングメッセージ生成器
109：チャンネルデコーダ
111：保存装置
113：選択回路
【図１】
2007215176.tif 000003
【図２】
2007215176.tif 000004
【図３】
2007215176.tif 000005
【図４】
2007215176.tif 000006
【図５】
2007215176.tif 000007